【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
電子コンポーネントを外付け回路に電気的に接続するための電気コネクタであって、
ベース部と、
前記ベース部から第１距離に配置された第１返しと、
前記ベース部から前記第１距離よりも大きい第２距離に配置された第２返しと、
前記ベース部に向かう軸に沿って前記電子コンポーネントを誘導するための誘導部と、
を備え、
前記電子コンポーネントが前記第１距離に相当する外部寸法を備えるとき、前記第１返しによって前記ベース部に向かってその動きが保持され、
前記電子コンポーネントが前記第２距離に相当する外部寸法を備えるとき、前記第２返しによって前記ベース部に向かってその動きが保持され、
前記電気コネクタの内部には前記返しが変位したときそれを収納するための収納部が設けられ、
前記第１返しは、前記第２返しと独立し、前記第２距離に相当する外部寸法を備える電子コンポーネントが前記第２返しに保持されているときに、当該電子コンポーネントによって前記電気コネクタの内部の収納部に向かって変位させられる、
ことを特徴とする電気コネクタ。
【請求項２】
請求項１に記載の電気コネクタにおいて、
前記コンポーネントはデジタルカメラモジュールであることを特徴とする電気コネクタ。
【請求項３】
請求項１または２に記載の電気コネクタにおいて、
前記ベース部は前記コンポーネントに接続するための電気的なインターコネクトを含むことを特徴とする電気コネクタ。
【請求項４】
請求項１乃至３のいずれかに記載の電気コネクタにおいて、
前記誘導部は前記ベース部から延伸する側壁を備えることを特徴とする電気コネクタ。
【請求項５】
請求項１乃至４のいずれかに記載の電気コネクタにおいて、
前記ベース部は一様に平面であることを特徴とする電気コネクタ。
【請求項６】
請求項１乃至５のいずれかに記載の電気コネクタにおいて、
前記第２距離は前記第１距離より大きく、前記第２返しは前記第１返しのほぼ上に位置することを特徴とする電気コネクタ。
【請求項７】
請求項４に記載の電気コネクタにおいて、
前記電子コンポーネントを誘導する側壁の一部は前記ベース部から第３距離に位置し、
前記第３距離は前記第２距離より大きく、前記第２距離は前記第１距離より大きいことを特徴とする電気コネクタ。
【請求項８】
請求項７に記載の電気コネクタにおいて、
前記電子コンポーネントを誘導する側壁の一部は前記第１および第２返しのほぼ上に位置することを特徴とする電気コネクタ。
【請求項９】
請求項１乃至８のいずれかに記載の電気コネクタにおいて、
前記誘導部は収納部を含むことを特徴とする電気コネクタ。
【請求項１０】
請求項１乃至９のいずれかに記載の電気コネクタにおいて、
前記第１および第２返しは、弾性的に変位可能にされていることを特徴とする電気コネクタ。
【請求項１１】
コンポーネントをベース部に結合するためのコネクタであって、
ベース部と、
前記ベース部から伸びる第１アームによって支持され、第１距離に位置する第１返しと、
前記ベース部から伸びる前記第１アームとは異なる第２アームによって支持され、前記第１距離と異なる第２距離に位置する第２返しと、からなり、
前記コンポーネントが前記第１距離に相当する外形寸法を有する時、前記コンポーネントは、前記第２返しではなく前記第１返しにより前記ベース部に向かう動きに自動的に保持され、
前記コンポーネントが前記第２距離に相当する外形寸法を有する時、前記コンポーネントは、前記第１返しではなく前記第２返しにより前記ベース部に向かう動きに自動的に保持され、このとき、前記コンポーネントが前記ベース部に向かって動いているとき、当該コンポーネントが、前記第１アームを元の位置から離れた位置に変位させる、そのような位置に前記第１アームが、前記第２アームとは独立して、設けられた
ことを特徴とするコネクタ。
【請求項１２】
請求項１１に記載のコネクタにおいて、
前記コネクタは、電気コネクタであり、前記コンポーネントは電子コンポーネントであることを特徴とするコネクタ。
【請求項１３】
請求項１１または１２に記載のコネクタにおいて、
前記電子コンポーネントを前記ベース部方向へ誘導する誘導部をさらに備えることを特徴とするコネクタ。
【請求項１４】
請求項１３に記載のコネクタにおいて、
前記誘導部は前記ベース部から延伸する側壁を備え、前記電子コンポーネントを誘導する側壁の一部は前記ベース部から第３距離に位置し、前記第３距離は前記第２距離より大きく、前記第２距離は前記第１距離より大きいことを特徴とするコネクタ。
【請求項１５】
請求項１４に記載のコネクタにおいて、
前記電子コンポーネントを誘導する側壁の一部は前記第１および第２返しのほぼ上に位置することを特徴とするコネクタ。
【請求項１６】
請求項１３乃至１５のいずれかに記載のコネクタにおいて、
前記誘導部は、前記第１アームが前記コンポーネントによって離れた位置に変位させられるときに、前記第１アームを収納するため収納部を備える、ことを特徴とするコネクタ。
【請求項１７】
請求項１１乃至１６のいずれかに記載のコネクタにおいて、
前記第１および第２返しは弾性的に変位可能にされていることを特徴とするコネクタ。
【請求項１８】
電子コンポーネントを外付け回路に電気的に接続するためのコネクタであって、
ベース部と、
弾性的に変位可能な第１アームと、
弾性的に変位可能な第２アームと、
前記ベース部から第１距離だけ離れた第１位置に配置され、前記第１アームに支持される第１返しと、
前記ベース部から前記第１距離と異なる第２距離だけ離れた第２位置に配置され、前記第２アームに支持される第２返しと、を備え、
前記電子コンポーネントが前記第１距離に相当する外部寸法を有し、ベース部へと押し込まれるとき、前記第１アームと第２アームとが、前記電子コンポーネントによってそれぞれ独立的に変位させられることにより、前記第１返し及び前記第２返しが前記第１位置及び前記第２位置からそれぞれ離れるようにされ、
前記電子コンポーネントが前記外付け回路に電気的に接続されるときには、前記第１アームは前記第１返しを前記第１位置に戻し、前記第１返しは前記コネクタの中で前記電子コンポーネントを保持し、前記第２アームは前記第２返しを前記第２位置に戻すが、前記第２返しは前記コネクタの中で前記電子コンポーネントを保持せず、
前記電子コンポーネントが前記第２距離に相当する外部寸法を有し、ベース部へと押し込まれるとき、前記第１アームと第２アームとが、前記電子コンポーネントによってそれぞれ独立的に変位させられることにより、前記第１返し及び前記第２返しが前記第１位置及び前記第２位置からそれぞれ離れるようにされ、
前記電子コンポーネントが前記外付け回路に電気的に接続されるときには、前記前記第２アームは第２返しを前記第２位置に戻し、前記第２返しは前記コネクタの中で前記電子コンポーネントを保持し、第１アームは変位させられた状態を保って前記第１返しは前記コネクタの中で前記電子コンポーネントを保持しない、ことを特徴とするコネクタ。
【請求項１９】
請求項１８に記載のコネクタにおいて、
前記電子コンポーネントを前記ベース部方向へ誘導する誘導部をさらに備えることを特徴とするコネクタ。
【請求項２０】
請求項１９に記載のコネクタにおいて、
前記誘導部は前記ベース部から延伸する側壁を備え、
前記電子コンポーネントを誘導する側壁の一部は前記ベース部から第３距離に位置し、
前記第３距離は前記第２距離より大きく、前記第２距離は前記第１距離より大きいことを特徴とするコネクタ。
【請求項２１】
請求項２０に記載のコネクタにおいて、
前記電子コンポーネントを誘導する側壁の一部は前記第１および第２返しのほぼ上に位置することを特徴とするコネクタ。
【請求項２２】
請求項２０または２１に記載のコネクタにおいて、
前記誘導部は、前記第１および第２返しがその第１位置および第２位置からそれぞれが変位されたとき、前記第１および第２返しを受け入れる収納部を備えることを特徴とするコネクタ。
【請求項２３】
電子コンポーネントを電気コネクタの中のベース部の方向へ移動して収納する方法であって、
前記電気コネクタは、第１アームと第２アームとを備え、
前記第１アームは、前記ベース部から伸びて、前記ベース部から第１距離に位置された第１返しを支持し、
前記第２アームは、前記第１アームとは異なる部材であり、前記ベース部から伸びて、前記ベース部から前記第１距離とは異なる第２距離に位置された第２返しを支持し、
前記電子コンポーネントは、前記第１距離に相当する外部寸法を備えるとき、前記第２返しではなく前記第１返しを用いて前記電気コネクタの中に自動的に保持され、
前記電子コンポーネントが、前記第２距離に相当する外部寸法を備え、前記ベース部に向かって動いているとき、前記第１アームは当該電子コンポーネントによってその位置が変位させられ、当該電子コンポーネントは前記第１返しによって保持されず、当該第１返しではなく前記第２返しを用いて前記電気コネクタの中に自動的に保持される、ことを特徴とする方法。
【請求項２４】
請求項２３に記載の方法において、
前記電気コネクタは、前記電子コンポーネントを前記電気コネクタのベース部の方向へ誘導する誘導部を備えることを特徴とする方法。
【請求項２５】
請求項２４に記載の方法において、
前記誘導部は側壁を備え、
前記電気コネクタは、前記側壁の一部によって誘導され、
前記電子コンポーネントを誘導する側壁の一部は前記ベース部から第３距離に位置し、  前記第３距離は前記第２距離より大きく、前記第２距離は前記第１距離より大きい、ことを特徴とする方法。
【請求項２６】
請求項２４または２５に記載の方法において、
前記誘導部は収納部を備え、
前記電気コネクタが前記第２距離に相当する外部寸法を備えるとき、前記第１アームは前記誘導部の収納部の中へ前記電子コンポーネントによって変位させられる、ことを特徴とする方法。